(57)【要約】【課題】受信した画情報を効率よく再印刷できる安価なファクシミリ装置を提供すること。【解決手段】両面印刷可能なファクシミリ装置に、ユーザが印刷設定をする操作部１１と、受信する原稿の画情報を記憶する画像メモリ９と、画像メモリ９に記憶された画情報を記録用紙に両面印刷又は片面印刷する印刷部５と、操作部１１の設定に基づいて、印刷手段５が画情報を記録用紙の一方の面に印刷した後、記録用紙の他方の面に印刷することによって両面印刷を行う場合に、後に印刷する画情報を記憶するバックアップメモリ１３と、バックアップメモリ１３に記憶された画情報を再印刷する再印刷プログラム１６と、を設ける。【選択図】図１
2008113299.tif 000002
【特許請求の範囲】
【請求項１】
ユーザが印刷設定をする操作手段と、
受信する原稿の画情報を記憶する記憶手段と、
前記記憶手段に記憶された前記画情報を記録用紙に両面印刷又は片面印刷する印刷手段と、
前記操作手段の設定に基づいて、前記印刷手段が前記画情報を前記記録用紙の一方の面に印刷した後、前記記録用紙の他方の面に印刷することによって両面印刷を行う場合に、後に印刷する画情報を記憶するバックアップ記憶手段と、
前記バックアップ記憶手段に記憶された画情報を再印刷するリプリント手段と、を有すること、を特徴とするファクシミリ装置。
【請求項２】
ユーザが印刷設定をする操作手段と、
受信する原稿の画情報を記憶する記憶手段と、
前記記憶手段に記憶された前記画情報を記録用紙に両面印刷又は片面印刷する印刷手段と、
前記操作手段の設定に基づいて、前記印刷手段が前記画情報を前記記録用紙の一方の面に印刷した後、前記記録用紙の他方の面に印刷することによって両面印刷を行う場合に、
前記記憶手段に記憶された画情報のうち、前記記録用紙に先に印刷する画情報を消去する第１消去手段と、
前記第１消去手段が前記先に印刷する画情報を消去した後に、前記記録用紙に後に印刷する画情報を消去する第２消去手段と、
を有すること、を特徴とするファクシミリ装置。
【請求項３】
請求項１又は請求項２に記載するファクシミリ装置において、
前記印刷手段は、ＩＤ及びパスワードと、前記バックアップ記憶手段若しくは前記記憶手段に記憶された画情報を再印刷できなくなる保存期限最終日時とを、前記画情報とともに前記記録用紙に印刷することを特徴とするファクシミリ装置。
【請求項４】
請求項３に記載するファクシミリ装置において、
前記印刷手段は、前記ＩＤ及びパスワードと前記保存期限最終日時とを、前記記録用紙の前記画情報を先に印刷する面に印刷することを特徴とするファクシミリ装置。
【請求項５】
請求項３又は請求項４に記載するファクシミリ装置において、
前記保存期限最終日時は、前記画情報の消去日であることを特徴とするファクシミリ装置。
【発明の詳細な説明】
【技術分野】
【０００１】
本発明は、受信した原稿の画情報を記録用紙の両面に印刷可能なファクシミリ装置に関する。
【背景技術】
【０００２】
従来より、受信した原稿の画情報を記録用紙の両面に印刷可能なファクシミリ装置として、例えば特許文献１に記載された両面印刷ファクシミリ装置が知られている。
【０００３】
図８は、特許文献１に記載された両面印刷ファクシミリ装置に内蔵される両面機構の概略構成図である。
図８に示すように、両面印刷ファクシミリ装置は、搬送路１１０に沿って搬送ローラ１０７と、レジストセンサ１０８と、レジストローラ１０４と、感光体１０３と、転写ローラ１０５と、定着ローラ１０２とが配置されている。搬送路１１０には、逆転搬送路１１１が接続している。搬送路１１０と逆転搬送路１１１との分岐点には、分岐センサ１０６が設けられている。逆転搬送路１１１には、分岐センサ１０６の下流側に、逆転ローラ１０９と排紙センサ１０１とが配置されている。
【０００４】
このような両面印刷ファクシミリ装置は、次のようにして両面印刷を行う。
すなわち先ず、図示しない給紙カセットから記録用紙をピックアップして搬送ローラ１０７に送り出す。記録用紙を搬送路１１０に沿ってレジストローラ１０４へ搬送するときに、レジストセンサ１０８によって記録用紙の先端を検出する。記録用紙の先端をレジストセンサ１０８が検出したときには、レジストローラ１０４の回転を一旦停止させて記録用紙の傾きを是正する。
【０００５】
その後再び、レジストローラ１０４を回転させて記録用紙を感光体１０３と転写ローラ１０５との間に送り出す。そして、感光体１０３の表面に形成された画像を転写ローラ１０５によって記録用紙に転写した後、定着ローラ１０２によって転写した画像を記録用紙に熱定着させる。
【０００６】
その後、記録用紙を搬送路１１０から逆転搬送路１１１へ送り、分岐センサ１０６が記録用紙を検出したときに、逆転ローラ１０９を所定方向に回転させ、記録用紙を排紙センサ１０１へ送り出す。
【０００７】
ここで、記録用紙は、搬送路１１０を搬送されているときには、画像形成された面が搬送面と逆向きにされているが、分岐センサ１０６を通過して逆転搬送路１１１へ送られたときに、画像形成された面が搬送面に向けられて表裏反転される。
【０００８】
排紙センサ１０１が記録用紙を検出すると、逆転ローラ１０９を反転させ、記録用紙を逆向きに搬送する。これにより、記録用紙は、逆転ローラ１０９から搬送ローラ１０７へ送られ、逆転搬送路１１１から搬送路１１０に戻される。このとき、記録用紙は、画像形成された面を搬送路１１０の搬送面に向けている。よって、搬送路１１０に戻された記録用紙を再搬送して画像形成するときには、先に画像形成された面と逆の面に画像を形成する。このようにして両面印刷された記録用紙は、分岐センサ１０６と逆転ローラ１０９と排紙センサ１０１を通過し、排紙トレイ１１２に排紙される。
【０００９】
尚、両面印刷ファクシミリ装置は、裏面排紙する場合、最初に偶数ページを記録用紙の一方の面に印刷してから、奇数ページを記録用紙の他方の面に印刷する。
【００１０】
このようにして両面印刷を行う両面印刷ファクシミリ装置は、ファクシミリデータを直接受信して画情報を記録用紙に両面印刷することもできるし、ファクシミリデータをメモリ受信してから画情報を記録用紙に両面印刷することもできる。
【００１１】
具体的には、両面印刷ファクシミリ装置は、直接受信して両面印刷する場合、１ページ目の画情報を受信してページメモリに記憶した時点では印刷せず、２ページ目の画情報を受信してページメモリに記憶し、１，２ページ目の画情報をページメモリにためたら、両面印刷モードで１，２ページ目の画情報を印刷する。その後は、奇数ページでは印刷せず、偶数ページを受信した時点で両面印刷モードで印刷する。そして、最終ページが奇数ページの場合には片面印刷モードで印刷し、最終ページが偶数ページの場合には、両面印刷モードで印刷する。
【００１２】
また、両面印刷ファクシミリ装置は、メモリ受信して両面印刷する場合、全ての画情報を受け取って回線切断した後、画像メモリから奇数ページと偶数ページの画情報を読み出して複合化し、ページメモリに展開し、２ページ分の画情報がページメモリにたまったら、両面印刷モードで印刷する。尚、最終ページが奇数ページであれば、片面印刷モードで印刷する。
【００１３】
ところで、ファクシミリデータは、送信元が作成したデータであり、受信先で再度作成できない。そのため、特許文献１に記載された両面印刷ファクシミリ装置は、受信文書をバックアップしている。そのため、例えば、裏紙を給紙段にセットしたまま、受信した画情報を両面印刷モードで印刷し、裏紙に印刷された情報と受信した画情報とが重なって受信した画情報を読めない場合でも、裏紙を白紙に入れ替えてバックアップされた受信文書を再度両面印刷すれば、判別できる画情報を取得できる。
【００１４】
尚、特許文献１に記載された両面印刷ファクシミリ装置は、バックアップされた受信文書によってメモリ容量を食いつぶさないように、ユーザが手動で確認ボタンを操作して、消去する画像を取捨選択できるようにしたり、バックアップされた画情報の中から最古の画情報を自動消去するようにしている。
【００１５】
【特許文献１】特開２００４−１０４２６４号公報（段落００２２，００２３，００２８，００２９，００３５，００３７，００３８、図５、図９、図１０参照）
【発明の開示】
【発明が解決しようとする課題】
【００１６】
しかしながら、特許文献１に記載された両面印刷ファクシミリ装置は、受信した画情報を全てバックアップするため、メモリ容量が大きくなり、コスト高であった。
この点、特許文献１に記載された両面印刷ファクシミリ装置は、手動で画情報を消去することを行うが、ユーザが画情報を消去し忘れると、新しく受信した画情報をバックアップできないため、結局大きいメモリ容量を必要としていた。
また、特許文献１に記載された画面印刷ファクシミリ装置は、最古の画情報を自動的に消去してメモリ容量を確保するが、例えば、適切に両面印刷された画情報や、裏紙のうち未印刷の面に適切に印刷した画情報までもバックアップし、メモリを効率的に使用できなかった。
【００１７】
本発明は、上記問題点を解決するためになされたものであり、受信した画情報を効率よく再印刷できる安価なファクシミリ装置を提供することを目的とする。
【課題を解決するための手段】
【００１８】
（１）ユーザが印刷設定をする操作手段と、受信する原稿の画情報を記憶する記憶手段と、前記記憶手段に記憶された前記画情報を記録用紙に両面印刷又は片面印刷する印刷手段と、前記操作手段の設定に基づいて、前記印刷手段が前記画情報を前記記録用紙の一方の面に印刷した後、前記記録用紙の他方の面に印刷することによって両面印刷を行う場合に、後に印刷する画情報を記憶するバックアップ記憶手段と、前記バックアップ記憶手段に記憶された画情報を再印刷するリプリント手段と、を有するファクシミリ装置である。
【００１９】
（２）ユーザが印刷設定をする操作手段と、受信する原稿の画情報を記憶する記憶手段と、前記記憶手段に記憶された前記画情報を記録用紙に両面印刷又は片面印刷する印刷手段と、前記操作手段の設定に基づいて、前記印刷手段が前記画情報を前記記録用紙の一方の面に印刷した後、前記記録用紙の他方の面に印刷することによって両面印刷を行う場合に、前記記憶手段に記憶された画情報のうち、前記記録用紙に先に印刷する画情報を消去する第１消去手段と、前記第１消去手段が前記先に印刷する画情報を消去した後に、前記記録用紙に後に印刷する画情報を消去する第２消去手段と、を有するファクシミリ装置である。
【００２０】
（３）（１）又は（２）に記載の発明において、前記印刷手段は、ＩＤ及びパスワードと、前記バックアップ記憶手段若しくは前記記憶手段に記憶された画情報を再印刷できなくなる保存期限最終日時とを、前記画情報とともに前記記録用紙に印刷する。
【００２１】
（４）（３）に記載の発明において、前記印刷手段は、前記ＩＤ及びパスワードと前記保存期限最終日時とを、前記記録用紙の前記画情報を先に印刷する面に印刷する。
【００２２】
（５）（３）又は（４）に記載の発明において、前記保存期限最終日時は、前記画情報の消去日である。
【発明の効果】
【００２３】
上記（１）に記載の発明は、記憶手段に記憶した画情報を記録用紙の一方の面と他方の面に両面印刷する場合に、後に印刷する画情報をバックアップ記憶手段に記憶して再印刷を可能にするので、全ての画情報をバックアップするものより記憶容量が少なくて済み、安価である。また、両面印刷時に印刷を失敗する可能性がある画情報のみをバックアップ記憶手段に記憶して再印刷するので、受信した画情報を効率よく再印刷できる。
【００２４】
上記（２）に記載の発明は、記憶手段に記憶した画情報を記録用紙の一方の面と他方の面に両面印刷する場合に、先に印刷する画情報を消去した後に、後に印刷する画情報を消去するので、全ての画情報をバックアップするものより記憶容量が少なくて済み、安価である。また、両面印刷時に印刷を失敗する可能性が低い画情報を先に消去し、印刷を失敗する可能性が高い画情報を後で消去するので、受信した画情報を効率よく記憶して再印刷できる。
【００２５】
上記（３）に記載の発明は、両面印刷時に記録用紙に画情報とともに印刷されるＩＤ及びパスワードを再印刷時に入力させて、バックアップされた画情報へのアクセス権限を確認するようにすれば、第三者によって画情報が再印刷されたり消去されることを防止できる。また、両面印刷時に画情報とともに記録用紙に印刷される保存期限最終日時によって、印刷を失敗した画情報を再印刷可能な日時を具体的に知ることができる。
【００２６】
上記（４）に記載の発明は、ＩＤ及びパスワードと保存期限最終日時とを、印刷を失敗する可能性が低い先に印刷する画情報とともに記録用紙に印刷するので、再印刷する必要がある画情報のＩＤ及びパスワードと保存期限最終日時とを確認しやすい。
【００２７】
上記（５）に記載の発明は、保存期限最終日時が画情報の消去日であるので、再印刷に不要な画情報をバックアップ記憶手段又は記憶手段から消去して、メモリ容量を小さくできる。
【発明を実施するための最良の形態】
【００２８】
次に、本発明に係るファクシミリ装置の一実施の形態について図面を参照して説明する。
本実施形態のファクシミリ装置は、図８に示す両面機構を内蔵し、記録用紙の片面又は両面に画情報を印刷することができる。ファクシミリ装置は、ファクシミリ機能だけでなく、スキャナ機能、コピー機能、プリンタ機能などを併せ持ってもよい。本実施形態では、図１に示す電気ブロック構造にて両面印刷動作を制御される。
【００２９】
＜電気ブロック構造＞
図１は、本発明の実施形態に係るファクシミリ装置の電気ブロック図である。
中央演算処理装置（ＣＰＵ）１には、ＤＲＡＭ（Dynamic Random Access Memory）２と、ＲＯＭ３と、ＲＡＭ４と、印刷部５と、ハードディスクドライブ（ＨＤＤ）６と、網制御部７と、Ｇ３ＦＡＸモデム８と、画像メモリ９と、符号化復号化部１０と、操作部１１と、表示部１２と、バックアップメモリ１３とがシステムバス１４を介して通信可能に接続されている。
【００３０】
ＣＰＵ１は、ファクシミリ装置各部の制御処理及びファクシミリ電送制御手順を行うものである。
ＤＲＡＭ２は、ＣＰＵ１がプログラムを実行する時に、必要なデータ等を記憶したり、ワークエリアとして利用するものである。
ＲＯＭ３は、プログラムや各種テーブルを格納する領域である。
ＲＡＭ４は、後述するＨＤＤ６から読み出された実行するプログラムを格納したり、画像メモリ９とリンクして、システム制御上必要なパラメータやユーザ操作などで得られる登録データを格納するものである。
印刷部５は、「印刷手段」の一例であって、画像メモリ９に記憶された画情報等を記録用紙に所定の解像度で片面印刷又は両面印刷するものである。
【００３１】
ＨＤＤ６は、インストールされたプログラムや、登録されたデータを格納するものである。ＨＤＤ６には、例えば、「第１消去手段」の一例である両面印刷プログラム１５、「リプリント手段」及び「第２消去手段」の一例である再印刷プログラム１６、保存データ削除プログラム１７などが格納されている。
【００３２】
両面印刷プログラム１５は、公衆通信回線網から受信した画情報を記録用紙に両面印刷することを制御するものである。
再印刷プログラム１６は、バックアップメモリ１３に記憶されている画情報を記録用紙に再印刷することを制御するものである。
保存データ削除プログラム１７は、バックアップメモリ１３に記憶されている画情報を削除することを制御するものである。
【００３３】
網制御部７は、公衆電話回線網に接続するもので、自動発信機能を有する。
Ｇ３ＦＡＸモデム８は、グループ３ファクシミリのモデム機能を実現するものである。
画像メモリ９は、「記憶手段」の一例であり、送受信される画情報を記憶するものである。
符号化復号化部１０は、生画像を定められた符号に圧縮したり、符号化された画像を元の生画像に伸長したりするものである。
操作部１１は、「操作手段」の一例であって、印刷設定や登録操作などを行うものである。本実施形態では、操作部１１を各種キーボタン、タッチパネルで構成する。
表示部１２は、各種データを表示するものである。本実施形態では、表示部１２を液晶ディスプレイで構成する。
【００３４】
バックアップメモリ１３は、「バックアップ記憶手段」の一例であって、印刷部が画情報を記録用紙の一方の面に印刷した後、記録用紙の他方の面に印刷することによって両面印刷する場合に、後に印刷する画情報を記憶するものである。
【００３５】
＜動作説明：受信動作＞
次に、ファクシミリ装置の受信動作について説明する。
ファクシミリ装置は、網制御部７が着呼を検出すると、Ｇ３ＦＡＸモデム８を公衆電話回線網につなぐ。そして、プロトコル交換を行って圧縮された画情報をＧ３ＦＡＸモデム８にてデジタル信号に変換し、圧縮データを画像メモリ９に格納する。
【００３６】
直接受信した画像を印刷する場合には、画像メモリ９から画情報を読み出して符号化復号化部１０に送り、画情報を復号化してＤＲＡＭ２上のページメモリに展開する。そして、展開した画情報を印刷部５へ送り、記録用紙に印刷する。
【００３７】
一方、メモリ受信した画像を印刷する場合には、圧縮データを画像メモリ９に蓄積して記憶する。そして、受信が完了した後、ファクシミリ装置の設定に応じて、画情報を記録用紙に片面印刷又は両面印刷する。片面印刷と両面印刷は、ユーザが操作部１１を操作して設定する。
【００３８】
画情報を片面印刷する場合には、画像メモリ９に蓄積した画情報を１ページ分取り出して符号化復号化部１０で復号化し、ＤＲＡＭ２上のページメモリに展開する。そして、展開した画情報を印刷部５へ送って記録用紙に印刷する。
【００３９】
一方、画情報を両面印刷する場合には、画像メモリ９に蓄積した画情報を２ページ分だけ符号化復号化部１０に送って復号化し、ＤＲＡＭ２上のページメモリに展開する。裏面排紙する場合には、ページメモリから２ページ目の画情報を読み出して記録用紙の一方の面に印刷した後、ページメモリから１ページ目の画情報を読み出して記録用紙の他方の面に印刷する。
【００４０】
＜両面印刷動作＞
次に、両面印刷する手順について図２を参照して説明する。図２は、図１に示す両面印刷プログラム１５のフロー図である。
両面印刷プログラム１５は、両面印刷を設定されている状態で画情報を受信したときに、ＨＤＤ６からＲＡＭ４にコピーされて実行される。尚、本実施形態のファクシミリ装置は、裏面排紙するものとし、偶数ページの画情報を記録用紙の一方の面（表面）に印刷し、奇数ページの画情報を記録用紙の他方の面（裏面）に印刷するものとする。
【００４１】
両面印刷プログラム１５は、まずステップ１（以下「Ｓ１」という。）において、ＤＲＡＭ２上のページメモリに展開した偶数ページのヘッダに、パスワードとＩＤと保存期限最終日時とを挿入する。
【００４２】
「パスワード」とは、当該画情報を印刷する権限を示すものであり、ＣＰＵ１によってランダムに与えられる。
「ＩＤ」とは、ファクシミリ装置が当該画情報を識別するために付与するものであり、ＣＰＵ１によって自動的に与えられる。
「保存期限最終日時」とは、バックアップメモリ１２又は画像メモリ９に記憶された画情報を再印刷できなくなる日時をいう。本実施形態では、受信した日の翌日深夜１２時を保存期限最終日時とする。
【００４３】
そして、Ｓ２において、偶数ページを記録用紙の一方の面（表面）に印刷する。そして、Ｓ３において、奇数ページを記録用紙の他方の面（裏面）に印刷する。尚、両面印刷の方法については、従来技術で詳しく説明したので、ここでは説明を省略する。
【００４４】
そして、Ｓ４において、印刷が成功したか否かを判断する。ジャムや用紙切れ等により印刷が失敗した場合には（Ｓ４：ＮＯ）、Ｓ５において、表示部１２に印刷失敗の原因と特定したエラーメッセージを表示したり、警告音や警告メッセージを流すなどしてエラーをユーザに知らせるエラー処理を実行する。
【００４５】
印刷が成功した場合には（Ｓ４：ＹＥＳ）、Ｓ６において、裏紙の印字面（裏面）に印刷する可能性が高い奇数ページの画情報（奇数ページデータ）をバックアップメモリ１２に保存する。このとき、奇数ページデータには、画情報の他に、偶数ページに印刷したパスワード情報とＩＤ情報と保存期限最終日時情報とが含まれる。そして、Ｓ７において、裏紙の印字面（裏面）に印刷する可能性が低い偶数ページの画情報（偶数ページデータ）を削除する。そして、処理を終了する。
【００４６】
続きの画情報があれば、上記と同様にして両面印刷を行う。そして、画情報の最終ページが奇数ページである場合には、片面印刷処理で印刷を完了し、画情報の最終ページが偶数ページである場合には、両面印刷処理で印刷を完了する。
これにより、印刷済みの記録用紙は、奇数ページを排紙面側（下側）にして排紙トレイ１１２に順次重ねて排出され、印刷済みの記録用紙がページ数の若い順に並べられる。
【００４７】
＜印字結果＞
両面印刷プログラム１５を実行して得られる印字結果の一例を図３に示す。
両面印刷プログラム１５を実行することにより、記録用紙に先に印刷した面（偶数ページデータを印刷した面）には、図３に示すように、印字枠２１の枠外にパスワード表示欄２２と、ＩＤ表示欄２３と、保存期限最終日時表示欄２４とが設けられ、パスワードとＩＤと保存期限最終日時がそれぞれ印刷される。そして、印字枠２１内には、文書データ２８が印刷される。また、印字枠２１の枠外に設けた送信元表示欄２６や受信日時表示欄２７、受信頁表示欄２８には、送信元、受信日時、受信数がそれぞれ印刷される。
【００４８】
一方、記録用紙の後に印刷した面（奇数ページデータを印刷した面）には、印字枠２１のみが設けられ、その印字枠２１内に文書データが印刷される。尚、印字枠２１は、説明のための仮想の枠であり、実際には印刷されることはない。
【００４９】
＜再印刷動作＞
ところで、既に片面に印刷されている裏紙を給紙カセットにセットした状態で両面印刷設定を行っている場合、記録用紙の印字面に印刷した画情報が、既に印刷されていた情報と重なって見にくくなることがある。ファクシミリ受信したデータは、送信元で作成され、受信先で再度作成することは困難である。そのため、本実施形態のファクシミリ装置は、ユーザの操作に応じてバックアップメモリ１３に記憶する画情報を再印刷できるようにしている。
【００５０】
図４は、図４に示す再印刷プログラム１６のフロー図である。
図４に示す再印刷プログラム１６は、ユーザが操作部１１を操作して再印刷指示を入力したときをトリガとして実行される。
再印刷プログラム１６は、Ｓ２１において、ユーザが操作部１１を構成するＦＡＸボタンを操作すると、Ｓ２２において、再印刷用ＩＤ選択画面を表示部１２に表示する。
【００５１】
図５は、図４に示す再印刷プログラムの実行中に表示される再印刷用ＩＤ選択画面の一例を示す図である。
図５に示すように、再印刷用ＩＤ選択画面には、ＩＤを入力するＩＤ入力欄３１と、ファクシミリ装置に記憶されているＩＤを順次表示させるためのスクロールボタン３２，３３と、表示内容を決定する決定ボタン３４とが表示される。スクロールボタン３２，３３を操作すると、バックアップメモリ１３に記憶されている奇数ページデータに付与されたＩＤが順次表示される。そこで、ユーザは、再印刷したい画情報を印刷した記録用紙のＩＤ表示欄２３を参照し、参照したＩＤを表示部１２のＩＤ入力欄３１に表示させるようにスクロールボタン３２，３３を操作し、決定ボタン３４を押下する。尚、ＩＤは、１頁単位で設定してもよいし、受信した画情報単位で設定してもよい。
【００５２】
ユーザが決定ボタン３４を押下すると、図４のＳ２３において、再印刷用ＩＤが選択されたと判断し、Ｓ２４において、パスワード入力画面を表示する。
【００５３】
図６は、図４に示す再印刷プログラムの実行中に表示されるパスワード入力画面の一例を示す図である。
図６に示すように、パスワード入力画面には、パスワード入力欄３５と、テンキー３６が表示される。そこで、ユーザは、再印刷したい画情報が印刷された記録用紙のパスワード表示欄２２を参照し、参照したパスワードを表示部１２のパスワード入力欄３５に表示するようにテンキー３６を操作する。
【００５４】
パスワードの入力が終わると、図４のＳ２６において、パスワードが一致するか否かを判断する。すなわち、ＩＤ入力によって特定された奇数ページデータのパスワード情報を読み出し、読み出したパスワード情報とユーザがパスワード入力欄３５に入力したパスワードとを照合して一致するか否かを判断する。そして、パスワードが一致しないと判断した場合には（Ｓ２６：ＮＯ）、Ｓ２７において、パスワード不一致を通知する画面を表示部１２に表示する。
【００５５】
一方、パスワードが一致すると判断した場合には（Ｓ２６：ＹＥＳ）、Ｓ２８において、ユーザが入力したＩＤ及びパスワードに対応する奇数ページデータをバックアップメモリ１３からＲＡＭ４に取得する。従って、ユーザが入力するパスワードによって、バックアップメモリ１３に記憶されている奇数ページデータにアクセスする権限があるか否かを判断できる。
【００５６】
その後、Ｓ２９において、ＤＲＡＭ２に取得した奇数ページデータを印刷部５に送信し、記録用紙に印刷する。そして、Ｓ３０において、再印刷が成功したか否かを判断する。再印刷が成功した場合には（Ｓ３０：ＹＥＳ）、印刷した奇数ページデータをバックアップメモリ１３から削除した後、処理を終了する。一方、ジャム等により再印刷が失敗した場合には（Ｓ３０：ＮＯ）、Ｓ３２において、エラーメッセージを表示部１２に表示したり、警告音や警告メッセージを出力して、エラーをユーザに知らせる。このエラー処理を終了した後、処理を終了する。
【００５７】
＜保存データ削除動作＞
このようにユーザが奇数ページデータを再印刷すれば、再印刷した画情報がバックアップメモリ１３から自動的に消去され、メモリの負担が小さくて済む。しかし、ユーザが、長期間再印刷を行わない場合或いは全く再印刷を行わない場合には、当該画情報がバックアップメモリ１３に残ったままとなり、新しい画情報をバックアップメモリ１３に記憶できなくなる恐れがある。そこで、ファクシミリ装置は、保存期限最終日時が到来した画情報をバックアップメモリ１３から自動的に消去する。
【００５８】
図７は、図１に示す保存データ削除プログラム１７のフロー図である。
保存データ削除プログラム１７は、一定時間間隔で実行され、バックアップメモリ１３に記憶されているデータを管理する。保存データ削除プログラム１７の実行時期は、ユーザの使用用途に合わせて操作部１１から任意に設定可能である。本実施形態では、保存データ削除プログラム１７の実行時期を、１日の最終時刻である午後１２時に設定するものとする。
【００５９】
保存データ削除プログラム１７は、Ｓ４１において、バックアップメモリ１３に保存されている奇数ページデータをバックアップメモリ１３から全て取得し、ＲＡＭ４にコピーする。そして、Ｓ４２において、ＲＡＭ４にコピーした奇数ページデータのデータ数（ｐ）が零であるか否かを判断し、データを削除する処理が必要が否かを判断する。データ数（ｐ）が零であると判断した場合には（Ｓ４２：ＹＥＳ）、削除対象となるデータがないので、そのまま処理を終了する。
【００６０】
一方、データ数（ｐ）が零でないと判断した場合には（Ｓ４２：ＮＯ）、Ｓ４３において、保存期限最終日時のチェック数を管理するために、保存期限チェック番号ｎを零にセットする。そして、Ｓ４４において、ｎに１を加算したものを保存期限チェック番号ｎとし、保存期限最終日時をチェックした数を決定する。
【００６１】
そして、Ｓ４５において、ＲＡＭ４に記憶されている奇数ページデータの中からｎ個目の奇数ページデータを読み出し、奇数ページデータに含まれる保存期限最終日時情報を取得する。そして、Ｓ４６において、取得した保存期限最終日時情報が、保存データ削除プログラム１７を実行している日時（チェック日時）を徒過しているか否かにより、当該奇数ページデータが保存期限最終日時内のものであるか否かを判断する。
【００６２】
保存期限最終日時情報がチェック日時を徒過しておらず、保存期限最終日時内であると判断した場合には（Ｓ４６：ＹＥＳ）、そのままＳ４８へ進む。
一方、保存期限最終日時情報がチェック日時を徒過し、保存期限最終日時内でないと判断した場合には（Ｓ４６：ＮＯ）、Ｓ４７において、ｎ個目の奇数ページデータに対応する奇数ページデータをバックアップメモリ１３から削除してから、Ｓ４８へ進む。
【００６３】
Ｓ４８においては、保存期限チェック番号ｎがデータ数（ｐ）以上であるか否かを判断し、ＲＡＭ４にコピーした奇数ページデータの全てについて保存期限最終日時をチェックしたか否かを確認する。
【００６４】
保存期限チェック番号ｎがデータ数（ｐ）以上でないと判断した場合には（Ｓ４８：ＮＯ）、Ｓ４４に戻り、次の奇数ページデータの保存期限最終日時がチェック日時を徒過しているか否かを確認する。
【００６５】
一方、保存期限チェック番号ｎがデータ数（ｐ）以上であると判断した場合には（Ｓ４８：ＹＥＳ）、保存期限最終日時の徒過を確認すべき奇数ページデータがＲＡＭ４に残っておらず、バックアップメモリ１３に記憶されている奇数ページデータの保存期限最終日時情報を全て確認したことを意味するので、処理を終了する。
【００６６】
＜作用効果＞
本実施形態のファクシミリ装置は、画情メモリ９に記憶した偶数ページの画情報を記録用紙の一方の面に印刷した後に、奇数ページの画情報を記録用紙の他方の面に印刷して両面印刷する場合に、後に印刷する奇数ページの画情報をバックアップメモリ１３に記憶して再印刷を可能にするので（図４のＳ２８，２９参照）、全ての画情報をバックアップするものより記憶容量が少なくて済み、安価である。また、両面印刷時に印刷を失敗する可能性がある奇数ページの画情報のみをバックアップメモリ１３に記憶して（図２のＳ６，Ｓ７参照）再印刷するので（図４のＳ２８，Ｓ２９参照）、受信した画情報を効率よく再印刷できる。
【００６７】
また、本実施形態のファクシミリ装置は、画像メモリ９に記憶した偶数ページの画情報を記録用紙の一方の面に印刷した後、奇数ページの画情報を記録用紙の他方の面に印刷して両面印刷する場合に、先に印刷する偶数ページの画情報を両面印刷時に消去した後に（図２のＳ７参照）、後に印刷する奇数ページの画情報を再印刷時に消去するので（図４のＳ３１参照）、全ての画情報をバックアップメモリ１３にバックアップするものより記憶容量が少なくて済み、安価である。また、両面印刷時に印刷を失敗する可能性が低い偶数ページの画情報を先に消去し、印刷を失敗する可能性が高い奇数ページの画情報を後で消去するので、受信した画情報を効率よく記憶して再印刷できる。
【００６８】
また、本実施形態のファクシミリ装置は、両面印刷時に記録用紙に印刷されるＩＤ及びパスワード（図３参照）を再印刷時に入力させて、バックアップされた画情報へのアクセス権限を確認するので（図４のＳ２３〜Ｓ２５参照）、第三者によって画情報が再印刷されたり消去されることを防止できる。また、両面印刷時に偶数ページの画情報とともに記録用紙に印刷される保存期限最終日時（図３参照）によって、印刷を失敗した画情報を再印刷可能な日時を具体的に知ることができる。
【００６９】
また、本実施形態のファクシミリ装置は、ＩＤ及びパスワードと保存期限最終日時とを、印刷を失敗する可能性が低い先に印刷する奇数ページの画情報とともに記録用紙の一方の面に印刷するので（図３参照）、再印刷する必要がある画情報のＩＤ及びパスワードと保存期限最終日時とが、記録用紙の印字面と重ならず、確認しやすい。
【００７０】
また、本実施形態のファクシミリ装置は、保存期限最終日時が画情報の消去日であるので（図７のＳ４６，４７参照）、再印刷に不要な画情報をバックアップメモリ１３又は画像メモリ９から消去して、メモリ容量を小さくできる。
【００７１】
＜変形例＞
尚、本発明の実施の形態について説明したが、本発明は、上記実施の形態に限定されることなく、色々な応用が可能である。
【００７２】
（１）例えば、上記実施の形態では、偶数ページと奇数ページの順に記録用紙に両面印刷して、排紙トレイ１１２に裏面排紙した。これに対して、例えば、奇数ページと偶数ページの順に記録用紙に両面印刷し、配置トレイに表面排紙してもよい。この場合、ページ数が多いものから順に配置トレイに積層され、上面から若いページ順に記録用紙を並べて印刷を完了することができる。この場合には、先に奇数ページを記録用紙の一方の面に印刷した後に偶数ページを記録用紙の他方の面に印刷するので、後に印刷する偶数ページの画情報をバックアップメモリ１３に記憶して再印刷可能とし、再印刷時、若しくは、保存期限最終日時が徒過したときにバックアップメモリ１３又は画像メモリ９から偶数ページの画情報を削除するようにすれば、メモリの負担を軽減できる。また、先に印刷する奇数ページの印刷面にパスワード、ＩＤ、保存期限最終日時を印刷すれば、誤って裏紙をセットして印刷した場合でも、パスワード、ＩＤ、保存期限最終日時が読めなくなる恐れがない。
【００７３】
（２）例えば、上記実施形態では、先に印刷する記録用紙の面にパスワード、ＩＤ、保存期限最終日時を印刷した。これに対して、後に印刷する記録用紙の面に印字枠２１内の文書データと重ならないようにパスワード、ＩＤ、保存期限最終日時を印刷するようにしてもよい。また、記録用紙の先に印刷する面と後に印刷する面の両方にパスワード、ＩＤ、保存期限最終日時を印刷するようにしてもよい。
【図面の簡単な説明】
【００７４】
【図１】本発明の実施形態に係るファクシミリ装置の電気ブロック図である。
【図２】図１に示す両面印刷プログラムのフロー図である。
【図３】図２に示す両面印刷プログラムを実行して得られた印刷結果を示す図であって、表面を示す。
【図４】図１に示す再印刷プログラムのフロー図である。
【図５】図４に示す再印刷プログラムの実行中に表示される再印刷用ＩＤ選択画面の一例を示す図である。
【図６】図４に示す再印刷プログラムの実行中に表示されるパスワード入力画面の一例を示す図である。
【図７】図１に示す保存データ削除プログラムのフロー図である。
【図８】ファクシミリ装置に内蔵される両面機構の概略構成図である。
【符号の説明】
【００７５】
５  印刷部（印刷手段）
９  画像メモリ（記憶手段）
１３  バックアップメモリ（バックアップ記憶手段）
１５  両面印刷プログラム（第１消去手段）
１６  再印刷プログラム（リプリント手段、第２消去手段）
【図１】
2008113299.tif 000003
【図２】
2008113299.tif 000004
【図３】
2008113299.tif 000005
【図４】
2008113299.tif 000006
【図５】
2008113299.tif 000007
【図６】
2008113299.tif 000008
【図７】
2008113299.tif 000009
【図８】
2008113299.tif 000010